(57)【要約】【課題】バリを発生させること無く被転写媒体にホログラム転写箔を熱転写できるホログラム熱転写装置およびホログラム積層体の製造方法を提供する。【解決手段】ホログラム熱転写装置５０は、受ローラー１０と、受ローラー１０との間でホログラム転写箔１８と被転写媒体１４とを挟持して、ホログラム転写箔１８のホログラム転写層２４を加熱押圧して被転写媒体１４に熱圧着する加熱ローラー１１とを備えている。また受ローラー１０および加熱ローラー１１の下流側に、剥離部材１６が設けられている。さらに剥離部材１６の下流には、被転写媒体１４を搬出する搬出機構１９および転写箔巻取りロール１７が設けられている。制御部６０は、ホログラム転写箔１８のうちホログラム積層体２２の後縁２８に対応する部分が剥離部材１６に到達したとき、ホログラム転写箔１８の移動速度Ｖ1を被転写媒体１４の移動速度Ｖ2より速くする。【選択図】図３
2010002814.tif 000002
【特許請求の範囲】
【請求項１】
受ローラーと、
受ローラーとの間で、基材と少なくとも体積型ホログラム層を含むホログラム転写層とを有するホログラム転写箔と、被転写媒体とを挟持して、ホログラム転写層を加熱押圧して被転写媒体に熱圧着する加熱ローラーと、
受ローラーおよび加熱ローラーの下流側に設けられ、ホログラム転写箔の基材をホログラム転写層から剥離するとともに、熱圧着されたホログラム転写層を、それ以外のホログラム転写層から分離して、所定形状を有し少なくとも体積型ホログラム層を含むホログラム積層体を被転写媒体上に形成する剥離部材と、
剥離部材の下流側に設けられ、熱圧着されたホログラム転写層が分離された後のホログラム転写箔を巻き取る転写箔巻取りロールと、
剥離部材の下流側に設けられ、ホログラム積層体が形成された被転写媒体を搬出する搬出機構と、
転写箔巻取りロールおよび搬出機構のうち少なくとも一方を制御する制御部とを備え、
制御部は、ホログラム転写箔のうちホログラム積層体の後縁に対応する部分が剥離部材に到達したとき、転写箔巻取りロールおよび搬出機構のうち少なくとも一方を制御して、転写箔巻取りロールによるホログラム転写箔の移動速度を搬出機構による被転写媒体の移動速度より速くすることを特徴とするホログラム熱転写装置。
【請求項２】
搬出機構は、剥離部材の上流側から下流側に向けて被転写媒体を一定の移動速度で搬送し、
制御部は、ホログラム転写箔のうちホログラム積層体の後縁に対応する部分が剥離部材に到達したとき、転写箔巻取りロールを制御して、転写箔巻取りロールによるホログラム転写箔の移動速度を前記被転写媒体の移動速度より速くすることを特徴とする請求項１に記載のホログラム熱転写装置。
【請求項３】
転写箔巻取りロールは、剥離部材の上流側から下流側に向けてホログラム転写箔を一定の移動速度で巻き取り、
制御部は、ホログラム転写箔のうちホログラム積層体の後縁に対応する部分が剥離部材に到達したとき、搬出機構を制御して、搬出機構による被転写媒体の移動速度を前記ホログラム転写箔の移動速度より遅くすることを特徴とする請求項１に記載のホログラム熱転写装置。
【請求項４】
基材と少なくとも体積型ホログラム層を含むホログラム転写層とを有するホログラム転写箔を準備する工程と、
ホログラム転写箔を被転写媒体に、そのホログラム転写層が被転写媒体側を向くよう重ねる工程と、
受ローラーと加熱ローラーとの間でホログラム転写箔を被転写媒体に加熱押圧し、ホログラム転写層を被転写媒体に熱圧着する工程と、
剥離部材においてホログラム転写箔の基材をホログラム転写層から剥離するとともに、熱圧着されたホログラム転写層を、それ以外のホログラム転写層から分離して、所定形状を有し少なくとも体積型ホログラム層を含むホログラム積層体を被転写媒体上に形成する工程と、
熱圧着されたホログラム転写層が分離された後のホログラム転写箔を転写箔巻取りロールによって巻き取る工程と、
ホログラム積層体が形成された被転写媒体を搬出機構によって搬出する工程とを備え、
ホログラム転写箔のうちホログラム積層体の後縁に対応する部分が剥離部材に到達したとき、転写箔巻取りロールおよび搬出機構のうち少なくとも一方を制御して、転写箔巻取りロールによるホログラム転写箔の移動速度を搬出機構による被転写媒体の移動速度より速くすることを特徴とするホログラム積層体の製造方法。
【請求項５】
被転写媒体を搬出機構によって搬出する工程において、搬出機構は、剥離部材の上流側から下流側に向けて被転写媒体を一定の移動速度で搬送し、
ホログラム転写箔のうちホログラム積層体の後縁に対応する部分が剥離部材に到達したとき、転写箔巻取りロールを制御して、転写箔巻取りロールによるホログラム転写箔の移動速度を前記被転写媒体の移動速度より速くすることを特徴とする請求項４に記載のホログラム積層体の製造方法。
【請求項６】
ホログラム転写箔を転写箔巻取りロールによって巻き取る工程において、転写箔巻取りロールは、剥離部材の上流側から下流側に向けてホログラム転写箔を一定の移動速度で巻き取り、
ホログラム転写箔のうちホログラム積層体の後縁に対応する部分が剥離部材に到達したとき、搬出機構を制御して、搬出機構による被転写媒体の移動速度を前記ホログラム転写箔の移動速度より遅くすることを特徴とする請求項４に記載のホログラム積層体の製造方法。
【発明の詳細な説明】
【技術分野】
【０００１】
本発明は、バリを発生させること無く被転写媒体にホログラム転写箔を熱転写することができるホログラム熱転写装置およびホログラム積層体の製造方法に関する。
【背景技術】
【０００２】
現在、小切手、商品券等の有価証券、通帳、パスポート、IＤカード等の身分証明書類、及び紙幣の偽造が増加しており、その被害は甚大である。この為、従来から、ホログラムを用いた画像形成方法が採用されている。ホログラムは、見る角度によって画像の見え方が変化するという特徴を有し、かつ、モノクロコピー機（カラーコピー機）では複製できないため、比較的セキュリティ性が高いものとされている。
【０００３】
しかしながら、近年、ホログラムの代表例であるレリーフ型ホログラムであっても、その偽造品（模造品）が市場に出回っているのが実情である。レリーフ型ホログラムと別の原理を用いたホログラムとして、体積型ホログラムが挙げられる。体積型ホログラムは、特殊な感光材料にレーザーを用いて画像を形成するものであることから、レリーフ型ホログラムよりもセキュリティ性が高いものとされ、近年、偽造防止手段としての用途が期待されている。
【０００４】
体積型ホログラムは屈折率の異なる複数の材料が用いられるのが一般的であり、通常は特定の光を照射することによって重合させることが可能な光重合性材料が用いられている。このため、体積型ホログラムは機械強度が大きくなる傾向にあることが一般に知られている。また、体積型ホログラムは、屈折率差が三次元的に配列されることによりホログラム像が記録されるという性質上、ホログラムが形成される層の厚みが厚くなる傾向にある。このため、体積型ホログラム転写箔を用いて転写する場合には、レリーフホログラム転写箔と比べて箔切れ性は悪く、体積型ホログラム転写箔が転写領域範囲を超えて被転写媒体に残ってしまう、バリという不良が大きく発生しやすい。
【０００５】
このような転写箔のバリの問題を解決するために、バリを切除することができる刃物を設けた画像形成装置が開示されている（特許文献１参照）。転写、剥離工程後に被転写体に残ったバリは刃物により切断され、また切断されたバリはブラシによって掃かれ、片付けられる。
【特許文献１】特開平１１−５８８８２号公報
【発明の開示】
【発明が解決しようとする課題】
【０００６】
しかしながら、特許文献１に示す従来技術においては、転写、剥離工程後にバリを切断するため、箔カスが生じる。このため、箔カスを除去する設備が設けてある。通常の転写箔やレリーフホログラム転写箔においては、バリを切断した箔カスが微小であるため、箔カスの除去が容易であるが、体積型ホログラム転写箔で発生するバリは通常の場合に比べて大きいものであるため、特許文献１に開示してあるような除去設備では箔カスの除去が困難である。従って、さらに大掛かりな箔カス除去設備が特別に必要となり、熱転写装置の構成が複雑になるとともにコストもアップするという問題があった。
【０００７】
本発明は、このような点を考慮してなされたものであり、バリを発生させること無く被転写媒体にホログラム転写層を熱転写することが容易にできるホログラム熱転写装置およびホログラム積層体の製造方法を提供することを目的とする。
【課題を解決するための手段】
【０００８】
本発明は、受ローラーと、受ローラーとの間で、基材と少なくとも体積型ホログラム層を含むホログラム転写層とを有するホログラム転写箔と、被転写媒体とを挟持して、ホログラム転写層を加熱押圧して被転写媒体に熱圧着する加熱ローラーと、受ローラーおよび加熱ローラーの下流側に設けられ、ホログラム転写箔の基材をホログラム転写層から剥離するとともに、熱圧着されたホログラム転写層を、それ以外のホログラム転写層から分離して、所定形状を有し少なくとも体積型ホログラム層を含むホログラム積層体を被転写媒体上に形成する剥離部材と、剥離部材の下流側に設けられ、熱圧着されたホログラム転写層が分離された後のホログラム転写箔を巻き取る転写箔巻取りロールと、剥離部材の下流側に設けられ、ホログラム積層体が形成された被転写媒体を搬出する搬出機構と、転写箔巻取りロールおよび搬出機構のうち少なくとも一方を制御する制御部とを備え、制御部は、ホログラム転写箔のうちホログラム積層体の後縁に対応する部分が剥離部材に到達したとき、転写箔巻取りロールおよび搬出機構のうち少なくとも一方を制御して、転写箔巻取りロールによるホログラム転写箔の移動速度を搬出機構による被転写媒体の移動速度より速くすることを特徴とするホログラム熱転写装置である。
【０００９】
本発明は、搬出機構は、剥離部材の上流側から下流側に向けて被転写媒体を一定の移動速度で搬送し、制御部は、ホログラム転写箔のうちホログラム積層体の後縁に対応する部分が剥離部材に到達したとき、転写箔巻取りロールを制御して、転写箔巻取りロールによるホログラム転写箔の移動速度を前記被転写媒体の移動速度より速くすることを特徴とするホログラム熱転写装置である。
【００１０】
本発明は、転写箔巻取りロールは、剥離部材の上流側から下流側に向けてホログラム転写箔を一定の移動速度で巻き取り、制御部は、ホログラム転写箔のうちホログラム積層体の後縁に対応する部分が剥離部材に到達したとき、搬出機構を制御して、搬出機構による被転写媒体の移動速度を前記ホログラム転写箔の移動速度より遅くすることを特徴とするホログラム熱転写装置である。
【００１１】
本発明は、基材と少なくとも体積型ホログラム層を含むホログラム転写層とを有するホログラム転写箔を準備する工程と、ホログラム転写箔を被転写媒体に、そのホログラム転写層が被転写媒体側を向くよう重ねる工程と、受ローラーと加熱ローラーとの間でホログラム転写箔を被転写媒体に加熱押圧し、ホログラム転写層を被転写媒体に熱圧着する工程と、剥離部材においてホログラム転写箔の基材をホログラム転写層から剥離するとともに、熱圧着されたホログラム転写層を、それ以外のホログラム転写層から分離して、所定形状を有し少なくとも体積型ホログラム層を含むホログラム積層体を被転写媒体上に形成する工程と、熱圧着されたホログラム転写層が分離された後のホログラム転写箔を転写箔巻取りロールによって巻き取る工程と、ホログラム積層体が形成された被転写媒体を搬出機構によって搬出する工程とを備え、ホログラム転写箔のうちホログラム積層体の後縁に対応する部分が剥離部材に到達したとき、転写箔巻取りロールおよび搬出機構のうち少なくとも一方を制御して、転写箔巻取りロールによるホログラム転写箔の移動速度を搬出機構による被転写媒体の移動速度より速くすることを特徴とするホログラム積層体の製造方法である。
【００１２】
本発明は、被転写媒体を搬出機構によって搬出する工程において、搬出機構は、剥離部材の上流側から下流側に向けて被転写媒体を一定の移動速度で搬送し、ホログラム転写箔のうちホログラム積層体の後縁に対応する部分が剥離部材に到達したとき、転写箔巻取りロールを制御して、転写箔巻取りロールによるホログラム転写箔の移動速度を前記被転写媒体の移動速度より速くすることを特徴とするホログラム積層体の製造方法である。
【００１３】
本発明は、ホログラム転写箔を転写箔巻取りロールによって巻き取る工程において、転写箔巻取りロールは、剥離部材の上流側から下流側に向けてホログラム転写箔を一定の移動速度で巻き取り、ホログラム転写箔のうちホログラム積層体の後縁に対応する部分が剥離部材に到達したとき、搬出機構を制御して、搬出機構による被転写媒体の移動速度を前記ホログラム転写箔の移動速度より遅くすることを特徴とするホログラム積層体の製造方法である。
【発明の効果】
【００１４】
本発明によれば、ホログラム転写箔のうちホログラム積層体の後縁に対応する部分が剥離部材に到達したとき、転写箔巻取りロールおよび搬出機構のうち少なくとも一方を制御して、転写箔巻取りロールによるホログラム転写箔の移動速度を搬出機構による被転写媒体の移動速度より速くしている。このことにより、被転写媒体に熱圧着されていない部分のホログラム転写層が、基材とともに被転写媒体から離れる方向に勢いよく移動する。そのため、ホログラム転写層のうちホログラム積層体の後縁に対応する部分に応力が集中し、熱圧着されたホログラム転写層をそれ以外のホログラム転写層から精度良く分離することができる。このため、被転写媒体上にバリのない精度の良好なホログラム積層体を形成することができる。
【発明を実施するための最良の形態】
【００１５】
以下、図１乃至図９を参照して、本発明の一実施の形態について説明する。ここで、図１は、ホログラム積層体が形成された被転写媒体（ホログラム製品）の構成を示す図であり、図２は、ホログラム転写箔の構成を示す図である。図３は、本発明の一実施の形態におけるホログラム熱転写装置を示す図であり、図４および図５は、本発明の一実施の形態において、被転写媒体にホログラム転写層を熱転写する工程を示す図である。図６は、本発明の一実施の形態において、被転写媒体上に形成されたホログラム積層体を示す図である。図７は、熱圧着されたホログラム転写層をそれ以外のホログラム転写層から分離する際における、剥離バー近傍を示す概略図である。図８は、被転写媒体にバリが生じる比較例を示す図であり、図９は、本実施の形態の変形例におけるホログラム転写箔の構成を示す図である。
【００１６】
ホログラム積層体およびホログラム転写箔
まず図１および図２により、本発明によるホログラム積層体の製造方法およびホログラム熱転写装置により形成されるホログラム積層体、およびホログラム積層体を形成するために用いられるホログラム転写箔について説明する。
【００１７】
まず、図１により、本実施の形態によるホログラム積層体の製造方法およびホログラム熱転写装置により形成されるホログラム製品４０の構成について説明する。図１に示すように、ホログラム製品４０は、（完成後の）例えば銀行券、株券、小切手などの有価証券類や、通帳、パスポート、ＩＤカードなどの身分証明書類からなっており、被転写媒体１４と、被転写媒体１４上に設けられたホログラム積層体２２とを有している。
【００１８】
このうち被転写媒体１４は、例えば銀行券、株券、小切手などの紙や、プラスチックフィルム、通帳、パスポートなどの紙やプラスチックからなる冊子、ＩＤカード、銀行カードなどのカード類などが挙げられる。特に、被転写媒体１４が紙やプラスチックフィルムなどの比較的薄い場合に、本発明による体積ホログラム積層体の製造方法およびホログラム熱転写装置を用いると、被転写媒体１４が破損することなく体積型ホログラム積層体２２を被転写媒体１４上に形成することができるので、本発明は有効である。また、特に被転写媒体が冊子である場合には、頁の折れ、ゆがみなどが少しでもおこると、製品価値がなくなるが、本発明によると、冊子の変形・破損が好適に防止できるため有効である。
【００１９】
またホログラム積層体２２は、所定の平面形状を有しており、被転写媒体１４上に配置された接着剤層２７と、接着剤層２７上に配置された体積型ホログラム層２６と、体積型ホログラム層２６上に配置された剥離性保護層２５とを有している。
【００２０】
このうち剥離性保護層２５は、例えばポリメチルアクリレート、ポリメチルメタクリレート等のアクリル系およびメタアクリル系樹脂、ポリ塩化ビニル樹脂、セルロース樹脂、シリコーン樹脂、塩化ゴム、カゼイン、各種界面活性剤、金属酸化物等のうちの一種類または二種類以上を混合したもの等からなる。後述のように、剥離性保護層２５は加熱ローラー１１から加えられる熱により剥離し、これによりホログラム転写箔１８の基材２３からホログラム転写層２４が剥離される。剥離性保護層２５の厚さは、例えば約１マイクロメートル（１μｍ）となっている。
【００２１】
また体積型ホログラム層２６の構成材料は、体積型ホログラムを記録することができるものであれば特に限定されるものではなく、一般的に体積型ホログラムに用いられる材料を任意に用いることができる。このような材料としては、例えば、銀塩材料、重クロム酸ゼラチン乳剤、光重合性樹脂、光架橋性樹脂等の公知の体積型ホログラム記録材料を挙げることができる。このような材料にレーザー干渉縞を記録して作製されるため、体積型ホログラム層２６は、複製が困難であり偽造される可能性の低い体積型ホログラムからなっている。体積型ホログラム層２６の厚さは、適宜調整することができるが、通常は１マイクロメートル（１μｍ）以上５０マイクロメートル（５０μｍ）以下程度の範囲であり、好ましくは下限が３マイクロメートル（３μｍ）以上であり、上限が２５マイクロメートル（２５μｍ）以下である。
【００２２】
また接着剤層２７は被転写媒体１４と体積型ホログラム層２６とを接着する機能を有している。この接着剤層２７としては、いずれの材料で形成されていてもよいが、熱接着性のものが好ましく、例えば、熱可塑性樹脂が用いられる。熱可塑性樹脂としては、例えば、マレイン酸変性塩化ビニル−酢酸ビニル共重合樹脂、エチレン−酢酸ビニル共重合樹脂、塩化ビニル−酢酸ビニル共重合樹脂、ポリアミド樹脂、ポリエステル樹脂、ポリエチレン樹脂、エチレン−イソブチルアクリレート共重合樹脂、ブチラール樹脂、ポリ酢酸ビニルおよびその共重合体樹脂、アイオノマー樹脂、酸変性ポリオレフィン系樹脂、アクリル系・メタクリル系などの（メタ）アクリル系樹脂、アクリル酸エステル系樹脂、エチレン・（メタ）アクリル酸共重合体、エチレン・（メタ）アクリル酸エステル共重合体、ポリメチルメタクリレート系樹脂、セルロース系樹脂、ポリビニルエーテル系樹脂、ポリウレタン樹脂、ポリカーボネート樹脂、ポリプロピレン樹脂、エポキシ樹脂、フェノール樹脂、ビニル系樹脂、マレイン酸樹脂、アルキッド樹脂、ポリエチレンオキサイド樹脂、ユリア樹脂、メラミン樹脂、メラミン・アルキッド樹脂、シリコーン樹脂、ゴム系樹脂、スチレンブタジエンスチレンブロック共重合体（ＳＢＳ）、スチレンイソプレンスチレンブロック共重合体（ＳIＳ）、スチレンエチレンブチレンスチレンブロック共重合体（ＳＥＢＳ）、スチレンエチレンプロピレンスチレンブロック共重合体（ＳＥＰＳ）等のうちの一種類または二種類以上のものを挙げることができる。
【００２３】
なお接着剤層２７中には、添加剤として、分散剤、充填剤、可塑剤、帯電防止剤等を添加することが可能である。接着剤層２７の厚さは特に限定されるものではなく、適宜設定することができるが、通常は０．３マイクロメートル（０．３μｍ）以上５０マイクロメートル（５０μｍ）以下程度の範囲であり、好ましくは下限が０．５マイクロメートル（０．５μｍ）以上であり、上限が２５マイクロメートル（２５μｍ）以下である。厚みが上記範囲内にあることにより、接着剤層２７の接着性がよくなり、また加熱時間を短縮することが可能となる。
【００２４】
ところで、図１に示すように、ホログラム積層体２２は、被転写媒体１４の搬送方向に対して、ホログラム積層体２２前部に位置する前縁３７と、ホログラム積層体２２後部に位置する後縁２８とを有している。一方、被転写媒体１４は、被転写媒体１４の搬送方向に対して、被転写媒体１４前部に位置する前縁４３と、被転写媒体１４の後部に位置する後縁４４とを有している。
【００２５】
また図１に示すように、ホログラム積層体２２の前縁３７は、被転写媒体１４の前縁４３と略同一鉛直線上に位置している。同様にホログラム積層体２２の後縁２８は、被転写媒体１４の後縁４４と略同一鉛直線上に位置している。なお略同一とは、本発明の趣旨を失わない範囲で、同一に近い範囲を含むことを意味する。しかしながら、これに限らず、ホログラム積層体２２の前縁３７は、被転写媒体１４の前縁４３よりも内側に位置していてもよく、またホログラム積層体２２の後縁２８が被転写媒体１４の後縁４４よりも内側に位置していてもよい。
【００２６】
次に、ホログラム積層体２２を形成するために用いられるホログラム転写箔１８について図２を用いて説明する。
【００２７】
ホログラム転写箔１８は、図２に示すように、基材２３と、ホログラム転写層２４とを有している。
【００２８】
このうち基材２３は、例えばポリエチレンテレフタレートからなっており、その厚さは、例えば約２５マイクロメートル（２５μｍ）となっている。
【００２９】
またホログラム転写層２４は、基材２３側から順に配置された剥離性保護層２５と、体積型ホログラム層２６と、接着剤層２７とを有している。これら剥離性保護層２５、体積型ホログラム層２６、および接着剤層２７の各材料については各々ホログラム積層体２２のものと同一であるから、詳細な説明は省略する。
【００３０】
ホログラム熱転写装置
次に、図３により、ホログラム熱転写装置５０について説明する。ホログラム熱転写装置５０は、受ローラー１０と、受ローラー１０に対向して設けられ、受ローラー１０との間で、ホログラム転写箔１８と被転写媒体１４とを挟持して、ホログラム転写箔１８のホログラム転写層２４を加熱押圧して被転写媒体１４に熱圧着する加熱ローラー１１とを備えている。
【００３１】
また受ローラー１０および加熱ローラー１１の下流側に、ホログラム転写箔１８の基材２３をホログラム転写層２４から剥離するとともに、被転写媒体１４に熱圧着されたホログラム転写層２４を、それ以外のホログラム転写層２４から分離する剥離バー（剥離部材）１６が設けられている。そしてこの剥離バー１６において、被転写媒体１４上に、所定の平面形状を有し、接着剤層２７と、体積型ホログラム層２６と、剥離性保護層２５とを含むホログラム積層体２２が形成される。
【００３２】
また受ローラー１０および加熱ローラー１１の上流側に、ホログラム転写箔１８を供給する転写箔供給ロール１５が設けられている。転写箔供給ロール１５から供給されるホログラム転写箔１８は、転写箔案内ローラー３５を介して受ローラー１０および加熱ローラー１１に搬送される。
【００３３】
一方、受ローラー１０および加熱ローラー１１の上流側に、被転写媒体１４を送り出す対向する一対の被転写媒体送出ローラー１２、１２が設けられている。さらに剥離バー１６の下流側には、ホログラム積層体２２が形成された被転写媒体１４であるホログラム製品４０を搬出する搬出機構１９が設けられている。
【００３４】
図３において、搬出機構１９は、ホログラム製品４０を狭持する一対の搬出ローラー１３、１３を有している。しかしながら、これに限らず、搬出機構１９は、ホログラム製品４０を受ローラー１０および加熱ローラー１１から搬出する機能を有するものであればローラーを有するものに限定されない。
【００３５】
また剥離バー１６の下流側であって、剥離バー１６の上方には、ホログラム転写箔１８のうち剥離バー１６において分離された基材２３と、基材２３上に残るホログラム転写層２４の一部とを巻き取る転写箔巻取りロール１７が設けられている。
【００３６】
なお、ホログラム転写箔１８と被転写媒体１４とは、受ローラー１０および加熱ローラー１１間を通過した後、剥離バー１６側に向って搬送される。そして受ローラー１０および加熱ローラー１１間から水平方向に搬送されたホログラム転写箔１８は、剥離バー１６の位置でその向きを変え、剥離バー１６から鉛直方向上方へと移動する。他方、受ローラー１０および加熱ローラー１１間から水平方向に搬送された被転写媒体１４は、そのまま剥離バー１６から水平方向に搬送される。
【００３７】
さらにホログラム熱転写装置５０は、受ローラー１０、加熱ローラー１１、被転写媒体送出ローラー１２、転写箔供給ロール１５、転写箔巻取りロール１７、および搬出機構１９を各々制御し駆動する制御部６０を有している。
【００３８】
なお、加熱ローラー１１は上下方向に移動することもできる。このことにより、ホログラム積層体２２の前縁３７を、被転写媒体１４の前縁４３より内側に形成することができる。同様に、ホログラム積層体２２の後縁２８を、被転写媒体１４の後縁４４よりも内側に形成することもできる。
【００３９】
この制御部６０は、転写箔巻取りロール１７および搬出機構１９をそれぞれ制御して、転写箔巻取りロール１７によるホログラム転写箔１８の巻き取り速度（移動速度）Ｖ1と、搬出機構１９による被転写媒体１４の移動速度Ｖ2とをそれぞれ独立して自由に変化させることができる。
【００４０】
ホログラム積層体の製造方法
次に、図３乃至図６により、ホログラム転写層２４の熱転写方法について説明する。
【００４１】
まず、図３に示すように、ホログラム転写箔１８を巻きつけた転写箔供給ロール１５を準備し、ホログラム転写箔１８の図示しない先端部を、転写箔案内ローラー３５、受ローラー１０と加熱ローラー１１との間、および剥離バー１６を順次通して転写箔巻取りロール１７まで送り、このホログラム転写箔１８の先端部を転写箔巻取りロール１７に固定する。他方、被転写媒体１４を準備し、対向する一対の被転写媒体送出ローラー１２、１２から被転写媒体１４を加熱ローラー１１と受ローラー１０との間まで送り出す。
【００４２】
このようにして、図３および図４に示すように、ホログラム転写箔１８と被転写媒体１４は加熱ローラー１１および受ローラー１０の間まで送られる。この加熱ローラー１１および受ローラー１０において、ホログラム転写箔１８が被転写媒体１４に、そのホログラム転写層２４が被転写媒体１４を向くよう重ね合わされる。
【００４３】
この場合、加熱ローラー１１と受ローラー１０との間でホログラム転写箔１８と被転写媒体１４とが挟持され、加熱ローラー１１によりホログラム転写箔１８のホログラム転写層２４が被転写媒体１４に加熱押圧される。このことにより、ホログラム転写層２４が被転写媒体１４に熱圧着されるとともに、熱圧着されたホログラム転写層２４の剥離性保護層２５が熱により剥離し、後工程において、ホログラム転写層２４のうち熱圧着された部分を基材２３から剥離することができる。
【００４４】
次に、図３および図５に示すように、ホログラム転写箔１８と被転写媒体１４とが剥離バー１６の位置にくると、剥離バー１６においてホログラム転写箔１８は被転写媒体１４から分離される。すなわち図５に示すように、ホログラム転写箔１８の基材２３がホログラム転写層２４から剥離し、熱圧着されたホログラム転写層２４がそれ以外のホログラム転写層２４から分離する。このようにして、被転写媒体１４上に、所定形状を有する接着剤層２７と、体積型ホログラム層２６と、剥離性保護層２５とを含むホログラム積層体２２が形成される。
【００４５】
この場合、剥離バー１６において分離された後のホログラム転写箔１８は、転写箔巻取りロール１７に向かって送り出される。この間、転写箔巻取りロール１７は、制御部６０によって制御され、一定の巻き取り速度（移動速度）Ｖ1でホログラム転写箔１８を巻き取る。
【００４６】
一方、ホログラム積層体２２が形成された被転写媒体１４からなるホログラム製品４０は、搬出機構１９によって外方へ搬出される。この間、搬出機構１９は、制御部６０によって制御され、一定の搬送速度（移動速度）Ｖ2で被転写媒体１４を搬送する。
【００４７】
なお、被転写媒体１４の後縁４４が剥離バー１６に到達する前、転写箔巻取りロール１７によるホログラム転写箔１８の移動速度Ｖ1は、搬出機構１９による被転写媒体１４の移動速度Ｖ2と同一である（Ｖ1＝Ｖ2）。
【００４８】
このようにして、上述のようにホログラム転写箔１８の基材２３がホログラム転写層２４から分離され、被転写媒体１４に熱圧着されたホログラム転写層２４は、それ以外のホログラム転写層２４から分離される。このようにして被転写媒体１４上にホログラム積層体２２が形成されて、ホログラム製品４０が作製される（図５および図６参照）。
【００４９】
ところで、ホログラム積層体２２の形成工程において、ホログラム転写箔１８のうちホログラム積層体２２の後縁２８に対応する部分が剥離バー１６に到達したとき、制御部６０は、転写箔巻取りロール１７および搬出機構１９を制御して、転写箔巻取りロール１７によるホログラム転写箔１８の移動速度Ｖ1を搬出機構１９による被転写媒体１４の移動速度Ｖ2より速くする（Ｖ1＞Ｖ2）。この際の作用について、以下詳述する。
【００５０】
まず、制御部６０により、受ローラー１０、加熱ローラー１１、被転写媒体送出ローラー１２、転写箔供給ロール１５、転写箔巻取りロール１７、搬出機構１９の駆動回転量に基づいて、被転写媒体１４の後縁４４の位置が求められる。
【００５１】
次に、被転写媒体１４の後縁４４が剥離バー１６に到達すると、制御部６０は、上述したように、転写箔巻取りロール１７および搬出機構１９を制御して、転写箔巻取りロール１７によるホログラム転写箔１８の移動速度Ｖ1を搬出機構１９による被転写媒体１４の移動速度Ｖ2より速くする（Ｖ1＞Ｖ2）。
【００５２】
この際、制御部６０は、転写箔巻取りロール１７を制御して、転写箔巻取りロール１７によるホログラム転写箔１８の移動速度Ｖ1を急激に上昇させるとともに、搬出機構１９による被転写媒体１４の移動速度Ｖ2を急激に下降させる。この場合、例えば搬出機構１９による被転写媒体１４の搬送を一時的に停止させても良い（Ｖ2＝０）。
【００５３】
あるいは、剥離バー１６の上流側から下流側に向けて、搬出機構１９が被転写媒体１４を移動させる移動速度Ｖ2を変化させることなく、一定の値に保持しても良い。この場合、制御部６０は、ホログラム転写箔１８のうちホログラム積層体２２の後縁２８に対応する部分が剥離バー１６に到達したとき、転写箔巻取りロール１７のみを制御して、転写箔巻取りロール１７によるホログラム転写箔１８の移動速度Ｖ1を急激に上昇させることにより、移動速度Ｖ1を被転写媒体１４の移動速度Ｖ2より速める。
【００５４】
他方、剥離バー１６の上流側から下流側に向けて、転写箔巻取りロール１７によるホログラム転写箔１８を移動させる移動速度Ｖ1を変化させることなく、一定の値に保持しても良い。この場合、制御部６０は、ホログラム転写箔１８のうちホログラム積層体２２の後縁２８に対応する部分が剥離バー１６に到達したとき、搬出機構１９のみを制御して、搬出機構１９による被転写媒体１４の移動速度Ｖ2を急激に下降させることにより、被転写媒体１４の移動速度Ｖ2をホログラム転写箔１８の移動速度Ｖ1より遅くする。
【００５５】
このように、ホログラム転写箔１８のうちホログラム積層体２２の後縁２８に対応する部分が剥離バー１６に到達したとき、転写箔巻取りロール１７によるホログラム転写箔１８の移動速度Ｖ1を搬出機構１９による被転写媒体１４の移動速度Ｖ2より速くすることにより（Ｖ1＞Ｖ2）、剥離バー１６下方部で、熱圧着されたホログラム転写層２４をそれ以外のホログラム転写層２４から精度よく分離することができ、後述するバリ２９（図８）を発生させること無く被転写媒体１４にホログラム転写層２４を熱転写することができる（図７参照）。
【００５６】
なお、このようにホログラム転写箔１８の移動速度Ｖ1を被転写媒体１４の移動速度Ｖ2から速める場合、ホログラム転写箔１８の移動速度Ｖ1と被転写媒体１４の移動速度Ｖ2との間に比較的大きな差を設けることが好ましい。とりわけ、ホログラム転写箔１８の移動速度Ｖ1と被転写媒体１４の移動速度Ｖ2との間に、Ｖ1−Ｖ2≧１ｍｍ／ｓｅｃとなる関係があることが好ましい。
【００５７】
その後、表面にホログラム積層体２２が形成された被転写媒体１４からなるホログラム製品４０は、搬出機構１９により外方へ搬出される。その後、制御部６０は、転写箔巻取りロール１７によるホログラム転写箔１８の移動速度Ｖ1および搬出機構１９による被転写媒体１４の移動速度Ｖ2をそれぞれ元の速度に戻す。すなわち転写箔巻取りロール１７によるホログラム転写箔１８の移動速度Ｖ1と搬出機構１９による被転写媒体１４の移動速度Ｖ2とが互いに同一となる（Ｖ1＝Ｖ2）。
【００５８】
このように本実施の形態によれば、ホログラム積層体２２の形成工程において、ホログラム転写箔１８のうちホログラム積層体２２の後縁２８に対応する部分が剥離バー１６に到達したとき、転写箔巻取りロール１７および搬出機構１９のうち少なくとも一方を制御して、転写箔巻取りロール１７によるホログラム転写箔１８の移動速度Ｖ1を搬出機構１９による被転写媒体１４の移動速度Ｖ2より速くしている。このため、ホログラム転写箔１８の基材２３が、水平方向に移動する被転写媒体１４の後縁４４から上方に向けて急速に遠ざかろうとし、ホログラム転写層２４のうちホログラム積層体２２の後縁２８に対応する部分に力が加わる。このことにより、剥離バー１６下方部で、熱圧着されたホログラム転写層２４をそれ以外のホログラム転写層２４から精度よく分離することができ、後述するバリ２９（図８）を発生させること無く被転写媒体１４にホログラム転写層２４を熱転写することができる。
【００５９】
次に、本願発明の効果を比較例と比較して説明する。すなわち、図８に示す比較例では、転写箔巻取りロール１７によるホログラム転写箔１８の巻き取り速度（移動速度）Ｖ1と、搬出機構１９による被転写媒体１４の移動速度Ｖ2とを、ホログラム転写箔１８のうちホログラム積層体２２の後縁２８に対応する部分が剥離バー１６に到達した前後で変化させることなく（すなわちＶ1＝Ｖ2の状態を維持したまま）、被転写媒体１４上にホログラム転写箔１８を形成したものである。この場合、ホログラム転写箔１８は体積型ホログラム層２６を含むホログラム転写層２４を有しており、ホログラム転写箔１８の箔切れ性は悪く、ホログラム転写箔１８の一部が被転写媒体１４にバリ２９として残っている。これに対して本実施の形態によれば、上述のように、転写箔巻取りロール１７および搬出機構１９を制御して、転写箔巻取りロール１７によるホログラム転写箔１８の移動速度Ｖ1を搬出機構１９による被転写媒体１４の移動速度Ｖ2より速くすることにより、このようなバリ２９を発生させること無く被転写媒体１４にホログラム転写層２４を熱転写することができる。
【００６０】
次に図９により本実施の形態の他の変形例について説明する。すなわち図９に示すように、ホログラム転写層２４は、基材２３側から順に配置された剥離性保護層２５と、紫外線吸収層３１と、体積型ホログラム層２６と、光学可変インキ層３２と、蛍光画像形成層３３と、接着剤層２７とを有していてもよい。
【００６１】
このうち、紫外線吸収層３１の材料としては、例えば、有機系紫外線吸収剤、反応性紫外線吸収剤、および無機系紫外線吸収剤を挙げることができる。紫外線吸収層３１の厚さは、通常は０．１マイクロメートル（０．１μｍ）以上１０マイクロメートル（１０μｍ）以下程度の範囲であり、好ましくは下限が０．５マイクロメートル（０．５μｍ）以上、上限が５マイクロメートル（５μｍ）以下である。厚さが上記範囲内にあることにより、紫外線吸収層３１の紫外線吸収性能と透明性とを両立させることができる。
【００６２】
光学可変インキ層３２は、光学可変材料によって画像が形成された光学可変画像形成層である。光学可変材料としては、所望の色を発現できるものであれば特に限定されるものではないが、なかでも所定の角度から見た際に、体積型ホログラム層２６の画像と同一の色を発現できるものであることが好ましい。このような光学可変材料が用いられることにより、所定の角度から視認する際に、光学可変画像形成層の画像と体積型ホログラム層２６の画像とを同一の色の画像にすることができるため、例えば、光学可変画像形成層の画像と体積型ホログラム層２６の画像とが重なるようにそれぞれの層を形成することにより、特定の角度において体積型ホログラム層２６の画像を視認されないようにすることが可能になり、さらにセキュリティ性を向上させることができる。
【００６３】
光学可変材料としては、例えば、パール顔料、偏光インキ、液晶インキ、および再帰反射性インキ等を挙げることができる。本発明においてはこれらの光学可変材料を一種類又は二種類以上用いてもよい。光学可変インキ層３２の厚さは、通常は０．５マイクロメートル（０．５μｍ）以上５０マイクロメートル（５０μｍ）以下程度の範囲であり、好ましくは１マイクロメートル（１μｍ）以上２０マイクロメートル（２０μｍ）以下である。厚さが上記範囲内にあることにより、十分な光学可変効果を得ることができる。
【００６４】
蛍光画像形成層３３は、紫外線を吸収することにより蛍光を発する蛍光材料によって画像が形成された層である。本変形例に用いられる蛍光材料としては、紫外線を吸収することにより所望の波長の蛍光を発することができるものであれば特に限定されるものではない。
【００６５】
本変形例に用いられる蛍光材料は少なくとも１種類が用いられるものであるが、本変形例においては発光する蛍光の波長が異なる複数の蛍光材料が用いられることが好ましく、特に赤、緑、青の各色を発色する蛍光材料が用いられることが好ましい。これにより本変形例に用いられる体積型ホログラム層２６に蛍光でフルカラーの画像を形成することが可能になるからである。
【００６６】
本変形例に用いられる蛍光材料としては、例えば、有機蛍光色素および無機蛍光色素を挙げることができる。有機蛍光色素としては、例えば、ジアミノスチルベンジスルホン酸誘導体、イミダゾール誘導体、クマリン誘導体、トリアゾール、カルバゾール、ピリジン、ナフタル酸、イミダゾロン等の誘導体、フルオレセイン、エオシン等の色素、アントラセン等のベンゼン環を持つ化合物などが挙げられる。具体的には、可視光で無色の蛍光染料としては、ＥＢ−５０１（三井化学（株）製、発光色：青色）、ＥＧ−３０２（三井化学（株）製、発光色：黄緑色）、ＥＧ−３０７（三井化学（株）製、発光色：緑色）、ＥＲ−１２０（三井化学（株）製、発光色：赤色）、ＥＲ−１２２（三井化学（株）製、発光色：赤色）、蛍光増白剤と呼ばれるユビテックスＯＢ（チバスペシャルティケミカルズ社製、発光色：青色）、ユーロピウム−テノイルトリフルオロアセトンキレート（シンロイヒ（株）、赤橙色）等を挙げることができる。
【００６７】
また、無機蛍光色素としては、例えば、Ｃａ、Ｂａ、Ｍｇ、Ｓｒ、などの酸化物、硫化物、ケイ酸塩、リン酸塩、タングステン酸塩のなどの結晶を主成分とし、Ｅｕ、Ｍｎ、Ｐｂ、Ｆｅ、Ｍｎ、Ｚｎ、Ａｇ、Ｃｕなどの金属元素または希土類元素をドープ剤として添加した顔料を用いることができる。具体的には、可視光下では無色から白色のＧ−３００シリーズ（ＳｒＡｌ２Ｏ４:Ｅｕ，Ｄｙ  根本特殊化学製  発光色：緑）やＶ−３００シリーズ（ＣａＡｌ２Ｏ４：Ｅｕ，Ｎｄ  根本特殊化学製  発光色：紫）等を挙げることができる。
【００６８】
また、本変形例に用いられる蛍光材料としては、たとえば、チオフェン系蛍光色素、β−キノフタロン系蛍光色素、クマリン系蛍光色素、ビススチリルベンゼン系蛍光色素、オキサゾール系蛍光色素、およびユーロピウム錯体系蛍光色素等も挙げることができる。これらの蛍光色素の具体例としては、例えば特開２００４−１２２６９０号公報に記載されたものを例示することができる。
【００６９】
なお、本変形例に用いられる蛍光画像形成層３３には、上記蛍光材料以外に、通常、バインダー樹脂が含まれることが好ましい。本変形例に用いられるバインダー樹脂としては、例えば、エチルセルロース、エチルヒドロキシセルロース、ヒドロキシプロピルセルロース、メチルセルロース、酢酸セルロース等のセルロース系樹脂、ポリビニルアルコール、ポリ酢酸ビニル、ポリビニルブチラール、ポリビニルアセタール、ポリビニルピロリドン等のビニル系樹脂、ポリ（メタ）アクリレート、ポリ（メタ）アクリルアミド等のアクリル系樹脂、ポリウレタン樹脂、ポリアミド樹脂、ポリエステル系樹脂、これらの樹脂の混合物等が挙げられる。本変形例においては、これらのいずれの樹脂であっても好適に用いることができる。
【００７０】
蛍光画像形成層３３の厚さは、例えば約１０マイクロメートル（１０μｍ）となっている。
【００７１】
この変形例においても、ホログラム積層体２２の形成工程において、ホログラム転写箔１８のうちホログラム積層体２２の後縁２８に対応する部分が剥離バー１６に到達した、転写箔巻取りロール１７および搬出機構１９を制御して、転写箔巻取りロール１７によるホログラム転写箔１８の移動速度Ｖ1を搬出機構１９による被転写媒体１４の移動速度Ｖ2より速くしている。このことにより、剥離バー１６下方部で、熱圧着されたホログラム転写層２４をそれ以外のホログラム転写層２４から精度よく分離することができ、後述するバリ２９を発生させること無く被転写媒体１４にホログラム転写層２４を熱転写することができる。
【図面の簡単な説明】
【００７２】
【図１】図１は、本発明の一実施の形態において、ホログラム積層体が形成された被転写媒体を示す図。
【図２】図２は、本発明の一実施の形態におけるホログラム転写箔の構成を示す図。
【図３】図３は、本発明の一実施の形態におけるホログラム熱転写装置を示す図。
【図４】図４は、本発明の一実施の形態において、被転写媒体にホログラム転写層を熱圧着する工程を示す図。
【図５】図５は、本発明の一実施の形態において、被転写媒体にホログラム転写層を熱圧着する工程を示す図。
【図６】図６は、本発明の一実施の形態において、被転写媒体上に形成されたホログラム積層体を示す図。
【図７】図７は、本発明の一実施の形態において、熱圧着されたホログラム転写層をそれ以外のホログラム転写層から分離する際の剥離バー近傍を示す概略図。
【図８】図８は、被転写媒体にバリが生じる比較例を示す図。
【図９】図９は、本発明の一実施の形態の変形例におけるホログラム転写箔の構成を示す図。
【符号の説明】
【００７３】
１０    受ローラー
１１    加熱ローラー
１２    被転写媒体送出ローラー
１３    搬出ローラー
１４    被転写媒体
１５    転写箔供給ロール
１６    剥離バー（剥離部材）
１７    転写箔巻取りロール
１８    ホログラム転写箔
１９    搬出機構
２２    ホログラム積層体
２３    基材
２４    ホログラム転写層
２５    剥離性保護層
２６    体積型ホログラム層
２７    接着剤層
２８    後縁
３５    転写箔案内ローラー
４０    ホログラム製品
５０    ホログラム熱転写装置
６０    制御部
【図１】
2010002814.tif 000003
【図２】
2010002814.tif 000004
【図３】
2010002814.tif 000005
【図４】
2010002814.tif 000006
【図５】
2010002814.tif 000007
【図６】
2010002814.tif 000008
【図７】
2010002814.tif 000009
【図８】
2010002814.tif 000010
【図９】
2010002814.tif 000011